(57)【要約】【構成】浴槽本体の側壁部の外側近傍に支柱ユニットを設置する。支柱ユニットは支柱の上部に支持アームを有する。支持アームの先端に揺動アームを揺動可能に連設する。揺動アームの先端に椅子部を吊り下げ、揺動アームを支持アームに対して回動することにより椅子部を浴槽本体の内外に移動させる。支柱を浴槽本体の壁部の途中に設け、支持アームを支柱に対して回動可能に設置するとともに少なくとも支柱を中心とした左右両側でその回動をロックできるようにした入浴用リフト装置である。【効果】  支持アームの左右方向を選択することによって、揺動アームの揺動中心を、支柱を中心とした左右両側のいずれかに固定することができる結果、椅子部の移動を、浴槽本体の左右両側のいずれかの壁部を越えるように設定することができる。支持アームの左右方向を選択することによって、入浴者は浴槽本体の左右両側のどちらの壁部の外側からでも入浴することができる。  【選択図】  図１
2007202786.tif 000002
【特許請求の範囲】
【請求項１】
浴槽本体の側壁部の外側近傍に支柱ユニットを設置し、この支柱ユニットは支柱を有するとともにこの支柱の上部に支持アームを設置し、この支持アームの先端に揺動アームを揺動可能に連設し、この揺動アームの先端に椅子部を吊り下げ、前記揺動アームを前記支持アームに対して揺動することにより前記椅子部を前記浴槽本体の内外に移動させる入浴用リフト装置において、前記支柱ユニットは前記支柱が前記浴槽本体の壁部の途中になるように設け、且つ、前記支持アームを前記支柱に対して揺動可能に設置するとともに少なくとも前記支柱を中心とした左右両側で前記揺動をロックできるようにしたことを特徴とする入浴用リフト装置。
【発明の詳細な説明】
【技術分野】
【０００１】
この発明は入浴用リフト装置に関し、肢体不自由者や足腰の弱った老人等が入浴する場合に使用されるものである。
【背景技術】
【０００２】
従来におけるこの種の入浴用リフト装置としては、浴槽本体の側壁部の外側近傍に支柱ユニットを設置し、この支柱ユニットにおける支柱の上部に支持アームを設置し、この支持アームの先端に椅子部を吊り下げ、この椅子部に入浴者を座らせ、前記支持アームを前記支柱に対して揺動することにより前記入浴者を前記浴槽本体の内外に移動させるものが存在した（特開２００３−１５９３０２）。
【０００３】
【特許文献１】特開２００３−１５９３０２号公報
【発明の開示】
【発明が解決しようとする課題】
【０００４】
しかしながら、従来の入浴用リフト装置にあっては、支柱ユニットが前記浴槽本体の側壁部の外側近傍に設置され、前記支持アームが揺動し、前記椅子部を前記側壁部を越えて前記浴槽本体の内外に移動させるものであったため、前記浴槽本体には、この支柱ユニットの設置された側からしか入浴することができず、この結果、使用しにくいという不都合を有した。
【０００５】
この発明の課題はこれらの不都合を解消することである。
【課題を解決するための手段】
【０００６】
前記不都合を解消するために、この発明に係る入浴用リフト装置においては、浴槽本体の側壁部の外側近傍に支柱ユニットを設置し、この支柱ユニットは支柱を有するとともにこの支柱の上部に支持アームを設置し、この支持アームの先端に揺動アームを揺動可能に連設し、この揺動アームの先端に椅子部を吊り下げ、前記揺動アームを前記支持アームに対して揺動することにより前記椅子部を前記浴槽本体の内外に移動させる入浴用リフト装置において、前記支柱ユニットは前記支柱が前記浴槽本体の壁部の途中になるように設け、且つ、前記支持アームを前記支柱に対して揺動可能に設置するとともに少なくとも前記支柱を中心とした左右両側で前記揺動をロックできるようにしたものである。
【発明の効果】
【０００７】
この発明に係る入浴用リフト装置は上記のように構成されているため、即ち、浴槽本体の側壁部の外側近傍に支柱ユニットを設置し、この支柱ユニットは支柱を有するとともにこの支柱の上部に支持アームを設置し、この支持アームの先端に揺動アームを揺動可能に連設し、この揺動アームの先端に椅子部を吊り下げ、前記揺動アームを前記支持アームに対して揺動することにより前記椅子部を前記浴槽本体の内外に移動させる入浴用リフト装置において、前記支柱ユニットは前記支柱が前記浴槽本体の壁部の途中になるように設け、且つ、前記支持アームを前記支柱に対して揺動可能に設置するとともに少なくとも前記支柱を中心とした左右両側で前記揺動をロックできるようにしたため、前記支持アームの左右方向を選択することによって、前記揺動アームの揺動中心を、前記支柱を中心とした左右両側のいずれかに固定することができる結果、前記椅子部の移動を、前記浴槽本体の左右両側のいずれかの壁部を越えるように設定することができる。
【０００８】
よって，この入浴用リフト装置を使用すれば、支持アームの左右方向を選択することによって、入浴者は前記浴槽本体の左右両側のどちらの壁部の外側からでも入浴することができるため、その使用価値は極めて向上する。
【発明を実施するための最良の形態】
【０００９】
この発明に係る入浴用リフト装置は、支柱ユニットを浴槽本体の壁部の途中に設け、且つ、支持アームを支柱に揺動可能に設置するとともに少なくとも前記支柱を中心とした左右両側で前記揺動をロックできるようした事に最も主要な特徴を有する。
【実施例】
【００１０】
以下、この発明の実施例を図面に基づいて説明する。
【００１１】
図１はこの発明に係る入浴用リフト装置の斜視図、図２は側面図、図３は図２におけるIII 矢視図、図４は図３におけるIV-IV 線断面図、図５は図４におけるＶ部拡大断面図、図６は図５におけるVI矢視図、図７は図５におけるVII 矢視図、図８は図４におけるVIII部拡大断面図、図９は図８におけるIX矢視図、図10は図８におけるＸ矢視図、図11は椅子部のスライド式足受具が伸出した状態を示した図である。
【００１２】
図１〜図４において、10は浴槽本体，11はこの浴槽本体10の背面壁部（この発明の「側壁部」に相当する）である。Ｕは支柱ユニットであり、この背面壁部11の外壁面に据えつけられている。この支柱ユニットＵはケーシング状に形成されている。Ｍは前記支柱ユニットＵのモーターであり、前記ケーシング内において、フレーム（図示せず）に固定されている。Ａはアクチュエータであり、前記モーターＭと一体的構成されている。このアクチュエータＡは略垂直状に位置しており、前記モーターＭの回転によって進退ロッド15を進退させる（図４を参照のこと）。
【００１３】
次に、20は有底筒状の支柱であり、前記アクチュエータＡに、逆さ状態で進退可能に外嵌めされている。21は底部であり、前記支柱20の上部に位置している。この底部21には軸孔22が形成されている。この支柱20は、前記浴槽本体10の背面壁部の略中央に位置している（図１，図３および図４を参照のこと）。
【００１４】
次に、30は回転筒であり、前記支柱20の底部21に回転自在に外嵌めされている。この回転筒30は前記支柱20における外周段部に係止されている。  
【００１５】
23は連結ロッドであり、前記支柱20内に配置されている。この連結ロッド23の下端は前記進退ロッド（アクチュエータＡの）15の先端に揺動可能に連結され、略垂直方向に延びている。24は固定ボルト部であり、前記連結ロッド23の上方に一体形成されている。この固定ボルト部24は前記軸孔（支柱20の底部21の）22を貫通し、押さえ板25を貫通してナット止めされている。このように、前記連結ロッド23が前記軸孔（支柱20の底部21の）22に固定されることによってことにより、前記支柱21は前記アクチュエータＡの作動によって上下動することができる。なお、前記押さえ板25は、前記回転筒30の抜け落ちを防止している。
【００１６】
なお、この発明の支柱ユニットＵは前記モーターＭ前記アクチュエータＡと前記進退ロッド15と前記支柱20と前記回転筒30と前記連結ロッド23とから構成される。
【００１７】
この支持ユニットＵは、前記ケーシングを前記浴槽本体10と一体的に形成することもできる。
【００１８】
Ｂは支持アームであり、前記回転筒30の外周面に溶接によって突設されている。この支持アームＢは略水平に延び、その先端は前記浴槽本体10の両側壁部近傍にまで達している。31は取付孔であり、前記回転筒30の側壁部における前記支持アームＢの根幹部と反対側に形成されている（図３を参照のこと）。この取付孔31には係止具32が圧縮バネ33によって軸心方向に押された状態で設置されている。一方、26,27 は係止穴であり、前記底部（支柱20の）21の外周面に形成されている。これらの係止穴26,27 は前記浴槽本体10の背面壁部に沿って両側に位置している。このため、前記回転筒30が前記底部（支柱20の）21の周囲を回動し、前記支持アームＢが前記浴槽本体10の背面壁部に沿って位置したときに（図３の状態）、前記係止具32がこの係止穴26の位置に達し、弾性的に進入して回転筒30の回動を不可能とする。
【００１９】
また、この係止具32を外方向に引っ張って係止状態を解除し、前記支持アームＢを旋回して前記浴槽本体10の背面壁部に沿って反対側に位置させれば（図３の状態と逆状態）、前記係止具32はこの係止穴27の位置に達し、弾性的に進入して回転筒30の回動を不可能とする。このとき、支持アームＢの位置は図３の状態から略１８０度旋回した状態で揺動がロックされる。
【００２０】
なお、図１において、Ｃは前記支柱20を覆っているカバー筒であり、前記背面壁部11に固定されている。
【００２１】
次に、図１〜図４において、Ｄは揺動アームであり、前記支持アームＢに対して揺動自在に連結されている。この揺動アームＤは斜め下方向に延び、先端は垂直に形成され下方を向いている。また、Ｅは椅子部であり、前記揺動アームＤに揺動自在に連結されている。
【００２２】
図５〜図７において、40は固定板（円盤状）であり、前記支持アームＢの先端下面に溶接されている。この固定板40は水平に位置している。41は軸体であり、前記固定板40を貫通した状態でこの固定板40に溶接固定されている。この軸体41は垂直方向に延び、上端は前記支持アームＢを貫通している。50は回転筒であり、前記軸体41に軸受51,51 を介して回転自在に外嵌めされている。そして、この軸体41は回転筒50の底板52を貫通し、この底板52との間にスラスト軸受53がボルト止めされている。このため、この回転筒50は前記軸体41の周囲を滑らかに回動することができる。なお、54は回転板（円盤状）であり、前記回転筒50の上端外周縁に鍔状に溶接されている。この回転板54の径は前記固定板40に略一致する。
【００２３】
次に、55は取付孔であり、前記回転板54の周壁部における前記揺動アームＤの根幹部と反対側に形成されている（図５を参照のこと）。この取付孔55には係止具56が圧縮バネ57によって係止方向に押された状態で設置されている。一方、45,46,47は係止穴であり、前記固定板40の下面に適宜間隔を関して形成されている。そして、前記回転筒50が前記軸体41の周囲を回動し、前記揺動アームＤが前記浴槽本体10の外部に位置したときに（図３の実線の状態）、前記係止具56が前記係止穴45の位置に達し、弾性的に進入して前記回転板54ひいては前記回転筒50の回動をロックする。  
【００２４】
また、この係止具56を操作ケーブルＰを下方向に引っ張って係止状態を解除し、前記揺動アームＤを旋回して前記浴槽本体10内に位置させれば（図３の仮想線の状態）、前記係止具56は別の係止穴46の位置に達し、弾性的に進入して前記回転板54ひいては前記回転筒50の回動をロックする。このとき、揺動アームＤの位置は図３の仮想線の状態で回動をロックされる。なお、係止穴47は前記揺動アームＤが前記浴槽本体10内の外側において、矢印方向に旋回して適宜位置で停止させる際に使用される。
【００２５】
なお、前記係止具56および前記係止孔45,46,47がこの発明の「第一係止手段」に相当する。
【００２６】
次に、図８〜図１０において、60は固定板（円盤状）であり、前記揺動アームＤの先端面に溶接されている。この固定板60は水平に位置している。61は軸体であり、前記固定板60を貫通した状態でこの固定板40に溶接固定されている。この軸体61は垂直状態で下方向に延びている。70は回転筒であり、前記軸体61に回転自在に外嵌めされている。そして、この軸体61は回転筒70の底板72を貫通し、この底板72との間にスラスト軸受73がボルト止めされている。このため、この回転筒70は前記軸体61の周囲を滑らかに回動することができる。なお、74は回転板（円盤状）であり、前記回転筒70の上端外周縁に鍔状に溶接されている。この回転板74の径は前記固定板60に略一致する。
【００２７】
次に、80は吊り具であり、前記回転筒70の両側面に溶接されている。この吊り具80は梯子状であり斜め前方に傾斜しながら下方に延びている。そして、その下端には、椅子部Ｅが着脱可能に掛け止めされている。81は操作具であり、前記吊り具80の背面に溶接されている。この操作具81はＵ字状をしており、背面側に突出している。この操作具81を把持することによって、介護者は、椅子部Ｅの移動操作をすることができる。82はスライド式足受であり、前記椅子部Ｅの前端縁に出入可能に設置されている。このスライド式足受82は伸出した状態で入浴者の伸ばした足を支える（図11を参照のこと）。  
【００２８】
なお、前記椅子部Ｅとしては、台車付きのものを使用することもできる。
【００２９】
次に、75は取付孔であり、前記回転板74の周壁部における前記椅子部Ｅの背面側に形成されている（図１０を参照のこと）。この取付孔75には係止具76が圧縮バネ77によって係止方向に押された状態で設置されている。一方、65,66,67,68,69は係止穴であり、前記固定板60の下面に適宜間隔を関して形成されている。そして、前記回転筒70が前記軸体61の周囲を回動し、前記椅子部Ｅが前記浴槽本体10内において入浴状態（椅子部Ｅが浴槽本体10の背面壁を背にした状態）に位置したときに（図３の仮想線の状態）、前記係止具76が前記係止穴65の位置に達し、弾性的に進入して前記回転板74ひいては前記回転筒70の回動を不可能とする。
【００３０】
なお、前記係止具76および前記係止孔65,66,67,68,69がこの発明の「第二係止手段」に相当する。
【００３１】
78は操作レバーであり、前記回転筒70の外側面に揺動可能に設置されている。この  操作レバー78にはブラケット79を介して前記係止具76の後端が繋がれている。このため、この操作レバー78を下方向に揺動させれば前記係止具76の係止状態は解除される。この状態で、前記椅子部Ｅを旋回してその向きを換えれば、前記係止具76は別の係止穴66,67,68,69 の位置に達し、弾性的に進入して前記回転板74ひいては前記回転筒70の回動をロックする。このとき、椅子部Ｅの位置はその正面側を１８０度旋回させることができるため、入浴者は椅子部Ｅに座りやすいものである。なお、前記操作レバー78は前記圧縮バネ77による前記係止具76の進入に従って原状態（係止状態）に戻る。
【００３２】
ところで、前記操作レバー78には、前記操作ケーブルＰの後端が掛け止めされている。このため、前記操作レバー78を前記係止具（椅子部Ｅの）76が解除する方向に揺動させた場合、同時に、この操作ケーブルＰが牽引され、前記係止具（揺動アームＢの）56も解除される。すなわち、一の操作で、二箇所の係止箇所を解除することができるため、介護者は操作しやすいものである。特に、この操作レバー78が介護者が常に把持している操作具81の近傍に位置しているため一層便利である。
【００３３】
なお、前記操作ケーブルＰは前記操作レバー78に掛け止めされているにすぎないため、この操作レバー78が原状態に戻っても、それに従って牽引（係止方向へ）されることはなく、前記揺動アームＤの係止具56が係止状態になっときに始めて牽引され原状態に戻る（図８の状態）。このため、前記揺動アームＤに対する前記椅子部Ｅの位置決めをした後に、前記支持アームＢに対する前記揺動アームＤの位置決めをできるため、即ち、介護者は前記操作レバー78の手元から揺動を固定することができるため、前記支持アームＢに対する前記椅子部Ｅの位置決めがしやすいものである。
【００３４】
このリフト装置を使用する場合には、まず、係止具32を係止穴26に進入させることによって支持アームＢを図３の状態に固定する。そして、係止具56を係止穴45に進入させて揺動アームＤを支持アームＢに対して図３の状態に固定し、さらに、係止具76を係止穴65に進入させて椅子部Ｅを揺動アームＤに対して図３の状態に固定する。
【００３５】
この状態で、図２に示すように、椅子部Ｅに入浴者を座らせ、締めつけベルト83で固定する。その後、モータＭを駆動させて、前記椅子部Ｅが前記浴槽本体10の高さ以上になるまで前記支柱20を上昇させる。この状態で、前記操作レバー78を下方に揺動し、前記係止具56を係止穴45から解除し、前記係止具76係止穴65から解除する。
【００３６】
この解除した状態で、椅子部Ｅの操作具81を把持することによって介護者は、椅子部Ｅをつり下げながら浴槽本体10内に移動する。このとき、介護者は、前記椅子部Ｅの前記スライド式足受82を伸出し、入浴者の脚部を載置する（図11を参照のこと）。
【００３７】
この状態で、浴槽本体10の側壁面を越えるようにする。前記椅子部Ｅが浴槽本体10内に移動された後、前記係止具76を前記係止穴66に弾性進入させて前記椅子部Ｅを前記揺動アームＤに固定し、且つ、前記前記係止具56を前記係止穴46に弾性進入させて前記揺動アームＤを前記支持アームＢに固定する。
【００３８】
この状態で、前記モータＭを駆動させて、前記椅子部Ｅが前記浴槽本体10内に底部に達するまで前記支柱20を下降させる。この状態で、入浴者は入浴できる。
【００３９】
入浴後は、前記モータＭを駆動させて、前記椅子部Ｅが前記浴槽本体10の高さ以上になるまで前記支柱20を上昇させる。そして、この状態で、前記操作レバー78を下方に揺動し、前記係止具56を係止穴46から解除し、前記係止具76係止穴66から解除する。
【００４０】
この解除した状態で、椅子部Ｅの操作具81を把持することによって介護者は、椅子部Ｅをつり下げながら浴槽本体10外に移動する。椅子部Ｅが浴槽本体10外に移動された後、前記係止具76を前記係止穴65に進入させて前記椅子部Ｅを前記揺動アームＤに固定し、且つ、前記前記係止具56を前記係止穴45に弾性進入させて前記揺動アームＤを前記支持アームＢに固定する。
【００４１】
この状態で、前記モータＭを駆動させて、前記椅子部Ｅを入浴者の足が床面に達するまで前記支柱20を下降させる。そして、介護者は、前記椅子部Ｅの前記スライド式足受82を押し込み、入浴者の脚部を元状態にする（図２の状態）。そして、締めつけベルト83を解除することによって、入浴者の椅子部Ｅから離れることができる。
【００４２】
なお、本発明において、前記支柱ユニットを前記浴槽本体の外壁部に据えつければ、既存の浴槽本体をそのまま使用することができるため、その使用価値は一層向上する。
【００４３】
なお、前記支柱ユニットを前記浴槽本体の壁部と一体的に設ければ、当該入浴用リフト装置自体がコンパクトになり設置しやすいものである。
【００４４】
なお、前記壁部を浴槽本体の背面壁にすれば、前記浴槽本体の背面部の外側に入浴スペースが採れず、前記浴槽本体の両側壁部の外側に入浴スペースの採れる浴場に使用しやすいものである。
【００４５】
また、前記壁部を浴槽本体の側面壁にすれば、前記浴槽本体の側壁部の外側に入浴スペースが採れず、前面壁および背面壁の外側の入浴スペースの採れる浴場に使用しやすいものである。
【産業上の利用可能性】
【００４６】
この発明は、浴槽本体の両側壁におけるいずれの外部においても、入浴者を支えた状態で浴槽本体の内外へ移動させる際に利用できる。
【図面の簡単な説明】
【００４７】
【図１】図１はこの発明に係る入浴用リフト装置の斜視図である。
【図２】図２は側面図である。
【図３】図３は図２におけるIII 矢視図である。
【図４】図４は図３におけるIV-IV 線断面図である。
【図５】図５は図４におけるＶ部拡大断面図である。
【図６】図６は図５におけるVI矢視図である。
【図７】図７は図５におけるVII 矢視図である。
【図８】図８は図４におけるVIII部拡大断面図である。
【図９】図９は図８におけるIX矢視図である。
【図１０】図10は図８におけるＸ矢視図である。
【図１１】図11は椅子部のスライド式足受具が伸出した状態の図である。
【符号の説明】
【００４８】
Ａ  …  アクチュエータ
Ｂ  …  支持アーム
Ｃ  …  カバー筒
Ｄ  …  揺動アーム
Ｅ  …  椅子部
Ｍ  …  モーター
Ｕ  …  支柱ユニット
Ｐ  …  操作ケーブル
10  …  浴槽本体
11  …  背面壁部（側壁部）
15  …  進退ロッド
20  …  支柱
21  …  底部（支柱の）
22  …  軸孔
23  …  連結ロッド
24  …  固定ボルト部
25  …  押さえ板
26  …  係止穴（支柱の）
27  …  係止穴（支柱の）
30  …  回転筒（支柱の）
31  …  取付孔
32  …  係止具（支持アームの）
33  …  圧縮バネ
40  …  固定板（支持アームの）
41  …  軸体（揺動アームの）
45  …  係止穴（揺動アームの）（第一係止手段）
46  …  係止穴（揺動アームの）（第一係止手段）
47  …  係止穴（揺動アームの）（第一係止手段）
50  …  回転筒（揺動アームの）
51  …  軸受
52  …  底板（回転筒50の）
53  …  スラスト軸受
54  …  回転板（回転筒50の）
55  …  取付孔（回転板54の）
56  …  係止具（揺動アームの）（第一係止手段）
57  …  圧縮バネ
60  …  固定板（揺動アームの）
61  …  軸体（椅子部の）
65  …  係止穴（椅子部の）（第二係止手段）
66  …  係止穴（椅子部の）（第二係止手段）
67  …  係止穴（椅子部の）（第二係止手段）
68  …  係止穴（椅子部の）（第二係止手段）
69  …  係止穴（椅子部の）（第二係止手段）
70  …  回転筒（椅子部の）
72  …  底板（回転筒70の）
73  …  スラスト軸受
74  …  回転板（回転筒70の）
75  …  取付孔（回転板74の）
76  …  係止具（椅子部の）（第二係止手段）
77  …  圧縮バネ
78  …  操作レバー
79  …  ブラケット
80  …  吊り具
81  …  操作具
82  …  スライド式足受
83  …  締め付けベルト
【図１】
2007202786.tif 000003
【図２】
2007202786.tif 000004
【図３】
2007202786.tif 000005
【図４】
2007202786.tif 000006
【図５】
2007202786.tif 000007
【図６】
2007202786.tif 000008
【図７】
2007202786.tif 000009
【図８】
2007202786.tif 000010
【図９】
2007202786.tif 000011
【図１０】
2007202786.tif 000012
【図１１】
2007202786.tif 000013